(57)【特許請求の範囲】
【請求項１】
水流を導入する入口部と導出する出口部とを有するケーシングと、磁石が固定されていると共にケーシング内の水流を受けて揺動するフラップ板と、ケーシングに設けられたリードスイッチとを備え、フラップ板が揺動して磁石がリードスイッチに近づくと水流を検知する水流スイッチ装置において、
前記ケーシングは、一方のハーフケースと他方のハーフケースとを組み合わせて、組み付け用ねじを締めつけ固定されており、一方のハーフケースには、他方のハーフケースのねじ孔に挿通するねじ挿通孔と、ねじ挿通孔の横にリードスイッチを嵌める嵌合凹部が形成してあり、前記リードスイッチはその本体から延出した取付片を備え、嵌合凹部には、前記ねじ孔に近接する位置に、前記取付片を受ける受台が形成されており、受台はリードスイッチ本体が位置する部位の底面よりも突設しており、ねじ挿通孔に挿通した組み付け用ねじの頭の一部が嵌合凹部に食み出して、嵌合凹部にあるリードスイッチの取付片を嵌合凹部の受台に圧接固定してあり、リードスイッチの本体は対面する嵌合凹部の底面との間に隙間をあけていることを特徴とする水流スイッチ装置。
【発明の詳細な説明】
【０００１】
【発明の属する技術分野】
本発明は、給湯器、給湯器付き風呂等に使用される水流スイッチ装置に関し、特に、通水路の流水をリードスイッチにより検知して給湯機器を作動させる水流スイッチ装置に関する。
【０００２】
【従来の技術】
一般に、風呂の給湯器等には、その通水路に水流検知器を設けており、水流を検知した後、給湯機器を作動させるようになっている。かかる水流スイッチは、実開昭６３ー３５２３２号公報に開示されているように、水流を受けて揺動するフラップを備えており、このフラップに磁石が固定してあり、フラップが揺動してケーシングに装着されたリードスイッチに磁石が近づくとその磁力を受けてリードスイッチが接続され（閉状態）、磁石が遠ざかるとスイッチが切れる（開状態）ものである。
【０００３】
かかる水流スイッチ装置は、製造時（組み立て時）にそのケーシングにリードスイッチを取り付ける必要がある。また、ケーシングは、ハーフケースを組み付けて構成し、一方のハーフケース内には、流水路とフラップが揺動するフラップ室を形成し、他方のハースケースにフラップを揺動可能に取り付けて、一方及び他方のハーフケースを組み付ける組み付け用ねじによりねじ固定している。
【０００４】
一方、リードスイッチは、一般に汎用のものが使用されており、その本体において、端子を封入したガラス管の周囲を樹脂で固めて構成しており、本体から延出した取付片にねじ孔を形成しており、ねじ孔にねじを挿通してねじ止めすることが一般的である。これに対して、上述した公報には、リードスイッチに弾性変形可能な係止片を設け、容易に取り付け及び取り外す構成が開示されている。
【０００５】
【発明が解決しようとする課題】
しかし、前者のように、汎用のリードスイッチを用い、リードスイッチのねじ孔にねじを通して止める場合には、リードスイッチ用のねじが必要になり、構成が複雑になると共に、組み付け作業に手間がかかるという問題点がある。また、ねじの締めつけ時にリードスイッチ本体に無理をかけると、リードスイッチを損傷するという問題がある。
【０００６】
また、後者のように、リードスイッチに係止片を設けた構成では、リードスイッチの損傷を防止できるもののリードスイッチの構成が複雑であり、且つ汎用のリードスイッチが使用できないという問題点がある。
【０００７】
本発明の目的は、簡易な構成で組み立て作業が容易であると共に汎用のリードスイッチをそのまま使用できる水流スイッチ装置を提供することにある。
【０００８】
【課題を解決するための手段】
請求項１に記載の発明は、水流を導入する入口部と導出する出口部とを有するケーシングと、磁石が固定されていると共にケーシング内の水流を受けて揺動するフラップ板と、ケーシングに設けられたリードスイッチとを備え、フラップ板が揺動して磁石がリードスイッチに近づくと水流を検知する水流スイッチ装置において、前記ケーシングは、一方のハーフケースと他方のハーフケースとを組み合わせて、組み付け用ねじを締めつけ固定されており、一方のハーフケースには、他方のハーフケースのねじ孔に挿通するねじ挿通孔と、ねじ挿通孔の横にリードスイッチを嵌める嵌合凹部が形成してあり、前記リードスイッチはその本体から延出した取付片を備え、嵌合凹部には、前記ねじ孔に近接する位置に、前記取付片を受ける受台が形成されており、受台はリードスイッチ本体が位置する部位の底面よりも突設しており、ねじ挿通孔に挿通した組み付け用ねじの頭の一部が嵌合凹部に食み出して、嵌合凹部にあるリードスイッチの取付片を嵌合凹部の受台に圧接固定してあり、リードスイッチの本体は対面する嵌合凹部の底面との間に隙間をあけていることを特徴とする。この請求項１に記載の発明によれば、ケーシングの組み付け用ねじを利用して、そのねじ頭部でリードスイッチを圧接固定するものであるから、リードスイッチ用のねじを別途必要とせず、部品点数を削減できる。従って、簡易な構成にでき、更に、ケーシングの組み付け時に同時にリードスイッチを固定することができるので、組み立て作業が容易である。また、リードスイッチの固定はその取付片の一部を組み付け用ねじの頭部で圧接するものであるから、リードスイッチ本体に直接力がかかることが少ないので、リードスイッチの損傷を防止できる。
【０００９】
凹部に挿入されたリードスッチは、取付片のみを受ける受台に支持されて、この受台と組み付け用ねじの頭部のみによって、取付片を挟持していると共にリードスイッチ本体は対面する底面との間に隙間をあけているので、リードスイッチ本体には無理な力がかかることがなく、リードスイッチ本体の損傷を確実に防止する。
【００１０】
【発明の実施の形態】
以下に、添付図面の図１乃至図６を参照して、本発明の実施の形態を詳細に説明する。
【００１１】
本実施の形態にかかる水流スイッチ１は、風呂から燃焼器に通じる通水路に設けられており、その通水路における流水を検知して、燃焼器を作動させるものである。
【００１２】
この水流スイッチ１は、図１及び図２に示すように、水流が導入される入口部３と、導出入する出口部５と、フラップ室１３とが形成された下側ケース（ハーフケース）７と、フラップ板１１をフラップ室１３に垂下させた上側ケース（ハーフケース）９とを備えており、下側ケース７と上側ケース９とは、組み付け用ねじ１０ａ、１０ｂ、１０ｃ、１０ｄを締めつけて一体に固定している。フラップ室１３は、ここに挿入されたフラップ板１１（後述する）が揺動する空間を形成している。尚、この実施の形態では、上側ケース９を上に下側ケース７を下にして、入口部３と出口部５とが水平になる位置に装備しているが、入口部３を下にし出口部５を上にする位置に装備するものであっても良い。
【００１３】
下側ケース７には、その上部に上側ケース９を重ね合わせて組み付けるためのフランジ部１５が設けられており、図５に示すように、このフランジ部１５の四隅に、組み付け用ねじ１０ａ、１０ｂ、１０ｃ、１０ｄに螺合するねじ孔１２ａ、１２ｂ、１２ｃ、１２ｄが形成されている。尚、下側ケース７の底部には、フラップ室１３にサーミスタ１７が挿入されており、通水路に流れる水の温度を検知している。
【００１４】
フランジ部１５には、その上部開口１８の周縁において上方に突出したシール片１９が形成されている。このシール片１９には、上側ケース９が組み付けられた際に、Ｏーリング２１が圧接してシール構造２０を形成するものである。このシール片１９は、その外周面が基端から先端にかけて外側から内側に向けて傾斜されており、その外周面にＯリング２１が嵌められるようになっている。このシール片１９は、後述する上側ケース９に形成された溝５１（後述する）との間にＯーリング２１を圧接するようになっている。
【００１５】
上側ケース９は、図２に示すように、その上部四隅に、組み付け用ねじ１０ａ、１０ｂ、１０ｃ、１０ｄを通すねじ孔２５ａ、２５ｂ、２５ｃ、２５ｄが形成されており、それぞれ下側ケース７のねじ孔１２ａ、１２ｂ、１２ｃ、１２ｄに一致させて、組み付け用ねじ１０ａ、１０ｂ、１０ｃ、１０ｄにより螺合される。
【００１６】
また、上側ケース９の上面には、リードスイッチ２７を嵌める嵌合凹部２９が形成されており、リードスイッチ２７がケースから突出しないようになっている。ここに装着されるリードスイッチ２７は、その本体３１に、磁力により接触して回路を閉じる一対の端子が封入されたガラス管を備えており、このガラス管を樹脂で埋め込んで形成されている。本体３１からは、取付片３３が延出されており、この取付片３３には、市販のものであるため固定用のねじ孔Ｆ、Ｆが形成されているが、このねじ孔Ｆ、Ｆは本実施の形態では使用しない。つまり取付ねじのピッチに少しのズレが生じても樹脂が変形し、リードスイッチ内のガラス管に力が加わってしまうからである。そこで本実施の形態では、取付片３３の角部を、上述した組み付け用ねじ１０ａ、１０ｂの頭部３５、３７で上側ケース９に圧接固定している。一方、嵌合凹部２９の底面には、上側ケース９のねじ孔２５ａ、２５ｂに近接した位置に一対の受台３９、４１が形成されている。この受台３９、４１に上述の取付片３３の角部がそれぞれ載置されるようになっている。即ち、図３に示すように、取付片３３の一部のみを受台３９、４１とねじの頭部３５、３７で挟持して固定するものであるから、確実に固定できると共に、本体３１は図１に示すように上側ケース９との間に隙間Ｘがあるので、リードスイッチ２７には、無理な力がかからず、リードスイッチ２７の損傷を防止できる。
【００１７】
上側ケース９の内側には、図５に示すように、フラップ板１１が揺動自在に垂下されている。このフラップ板１１には、磁石４３が固定されており、水流によりフラップ板１１が揺動して上に上がると、上述したリードスイッチ２７に近づくようになっている。このフラップ板１１は、図４に示すように、上端部が軸４５により軸支されており、この軸の両端部が、上側ケース９に形成された軸受４７ａに載置されている。軸４５の中央部を載置する軸受４７ｂも形成されており、軸４５は合計４ヵ所で軸支されている。尚、図４は、図５に示す上側ケース９の上下を逆さにしている状態を示している。
【００１８】
この軸４５は、Ｏーリング２１により軸受４７ａ、４７ｂに保持されており、このＯーリング２１は、上側ケース９の溝５１に嵌め込まれている。従って、組み付け時には、図４に示すように、上側ケース９をその内側（下側）を上に向けて軸４５を軸受４７ａ、４７ｂに載置した後、Ｏーリング２１を溝５１に圧入することにより容易に取り付けできると共に、Ｏーリング２１の保持力によりフラップ板１１を下に向けても上側ケース９からフラップ板が落ちない構成になっている。更に、上側ケース９には、フラップ板１１を斜めから挿入するように軸４５を軸受け４７ａ，４７ｂに案内する案内壁５３を形成し、組み付け時には軸４５を容易に軸受４７ａ、４７ｂに配置できる構成となっている。
【００１９】
次に、図６を参照して、Ｏーリング２１によるシール構造について説明する。
【００２０】
Ｏリング２１は、下側ケース７と上側ケース９との組み付け時に、上述したシール片１９の傾斜された外面１９ａと、上側ケース９の断面Ｌ字形状を形成する周壁５５と底壁５９との３点Ｓ、Ｔ、Ｙで圧接する構成となっている。このようにＯーリング２１は３点Ｓ、Ｔ、Ｙで圧接しているので、確実なシールを図ることができる。しかも、傾斜された外面２９ａは、組み付け用ねじ１０ａの締めつけ方向Ｗに対して斜めに傾斜しているから、組み付け用ねじ１０ａを締めつければ締めつける程、上側ケース９に対して下側ケース７の心出しができ、特に、上側ケース９と下側ケース７との形成されたねじ孔２５ａ、２５ｂ、２５ｃ、２５ｄ、１２ａ、１２ｂ、１２ｃ、１２ｄにおいては、それらのねじ孔の芯出し（中心が一致する）ができるので、各ねじ孔やねじをラフに製造することができる。更に、ケース９のねじ孔を大きくできるので、ねじ止めが容易にでき、作業性が良い。
【００２１】
次に、本実施の形態にかかる水流スイッチの組み立て方法について説明する。まず、図４に示すように、上側ケース９をその上面を下にして、内側を上にし、フラップ板１１を取り付ける。この場合、軸４５を案内面５３に沿って斜めから挿入することによって、軸４５を軸受４７ａ、４７ｂに容易に嵌め込むことができる。そして、軸受４７ａ、４７ｂに軸４５を配置した後、Ｏーリング２１を溝５１に圧入して、軸４５の上に取り付ける。これにより、軸４５はＯーリング２１により支えられるので、上側ケース９をひっくり返して、フラップ板１１を下にしても、Ｏーリング２１によりフラップ板１１は保持されて、落ちることがない。
【００２２】
即ち、図５に示すように、フラップ板１１を下に向けて、上側ケース９を下側ケース７に被せ、Ｏーリングを介在して、フラップ板１１を下側ケース７の上部開口１８を介してフラップ室１３に上から挿入する。
【００２３】
次に、図２に示すように、上側ケース９の上面において、嵌合凹部２９にリードスイッチ２９を設置し、組み付け用ねじ１０ａ、１０ｂ、１０ｃ、１０ｄをねじ孔２５ａ、２５ｂ、２５ｃ、２５ｄに挿通し、下側ケース７のねじ孔１２ａ、１２ｂ、１２ｃ、１２ｄに螺合して下側ケース７に上側ケース９を固定する。この際に、上述したＯーリング２１によるシール構造によりねじ孔を大きくできるので、ねじによる組み付け作業が容易である。
【００２４】
同時に、リードスイッチ２７は、その取付片の角部を組み付け用ねじ１０ａ、１０ｂの頭部３５、３７により上側ケース９の受台３９、４１に圧接して固定される。
【００２５】
一方、組み付け用ねじ１０ａ、１０ｂ、１０ｃ、１０ｄを締めつけると、図６に示すように、Ｏーリング２１は、シール片１９の傾斜された外面１９ａに配置されて、締めつけられると、外面１９ａと周壁５５と底壁５９との３点Ｓ、Ｔ、Ｙで圧接され、確実なシールを図る。また、傾斜された外面１９ａは、組み付け用ねじ１０ａの締めつけ方向に対して傾斜しているから、組み付け用ねじ１０ａを締めつければ締めつける程、ねじ孔の芯出しができ、ねじによる組み付けが容易である。
【００２６】
以上説明したように、本実施の形態によれば、水流スイッチ装置の組み立て（製造）が容易にできると共に、リードスイッチ２７の取り付けにおいてリードスイッチ用のねじを別に必要としないので、部品点数の削減と、組み付け工程を簡易にでき、しかもリードスイッチの本体に無理な力が加わることがないので、その損傷を防止できる。
【００２７】
本発明は上述した実施例に限定されず、本発明の要旨を逸脱しない範囲で種々変形可能である。例えば、リードスイッチ２７を固定する取付片３３の角部にねじの頭部を圧接して固定することに限らずその他の部分、例えば図７に示すように、取付片３３の一側部をねじの頭部で圧接して固定するものであっても同様な効果を得ることができる。
【００２８】
【発明の効果】
請求項１に記載の発明によれば、ケーシングの組み付け用ねじを利用して、そのねじ頭部でリードスイッチを圧接固定するものであるから、リードスイッチ用のねじを別途必要とせず、部品点数を削減できる。従って、簡易な構成にでき、更に、ケーシングの組み付け時に同時にリードスイッチを固定することができるので、組み立て作業が容易である。また、リードスイッチの固定はその取付片の一部を組み付け用ねじの頭部で圧接するものであるから、リードスイッチ本体に直接力がかかることが少ないので、リードスイッチの損傷を防止できる。
【００２９】
リードスッチの取付片の一部を受ける受台を設け組み付け用ねじの頭部により圧接する構成であり且つリードスイッチ本体は対面する底面との間に隙間をあけているから、リードスイッチ本体の損傷を確実に防止する。
【００３０】
【図面の簡単な説明】
【図１】本発明の実施の形態にかかる水流スイッチ装置の断面図である。
【図２】リードスイッチの組み付け構造を示す斜視図である。
【図３】図１に示す水流スイッチ装置の平面図である。
【図４】上側ケースにおけるフラップ板の取り付け構造を示す分解斜視図である。
【図５】上側ケースと下側ケースとの組み付け構造を示す分解斜視図である。
【図６】Ｏーリングによりシール構造を示す断面図である。
【図７】他の実施の形態にかかる水流スイッチ装置の平面図である。
【符号の説明】
１ 水流スイッチ
７ 下側ケース（ハーフケース）
９ 上側ケース（ハーフケース）
１０ａ、１０ｂ 組み付け用ねじ
１１ フラップ板
２７ リードスイッチ
３１ 本体
３３ 取付片
３５、３７ 頭部
３９、４１ 受台
【図１】
0003947262.tif 000002
【図２】
0003947262.tif 000003
【図３】
0003947262.tif 000004
【図４】
0003947262.tif 000005
【図５】
0003947262.tif 000006
【図６】
0003947262.tif 000007
【図７】
0003947262.tif 000008